(57)【要約】【課題】  待機時の消費電力を抑えるとともに、待機時からの起動時間を短縮することができる電子機器の制御装置および制御方法、電子機器、プロジェクタを提供すること。【解決手段】  サブＣＰＵ２とＩ／Ｏブリッジ部８は、待機時にサブ電源部３から電力供給を受けている。待機時にサブＣＰＵ２は、低速の第１クロックＣＬＫ１を動作クロックとして動作している。サブＣＰＵ２は、ＳＷ部１０などの操作部からの操作信号により起動入力を受け付けると、Ｉ／Ｏブロック部８に付属する第２クロック発生部７に、動作クロックとして第２クロックＣＬＫ２の発生を許可させるイネーブル信号ＯＥを出力する。これにより、第２クロックＣＬＫ２がＩ／Ｏブリッジ部８に供給されることから、Ｉ／Ｏブロック部８は、高速な第２クロックＣＬＫ２を動作クロックとして、起動入力受け付け直後に起動する。【選択図】      図２
2006067056.tif 000002
【特許請求の範囲】
【請求項１】
ＡＣ電源から供給される電力により動作する電子機器の制御装置であって、
前記電力が供給された待機時に起動入力操作に応じて操作信号を出力する操作部と、
前記操作部からの操作信号により起動入力を受け付けるサブＣＰＵと、
前記待機時に前記サブＣＰＵへ動作クロックとしての第１クロックを供給する第１クロック発生部と、
前記サブＣＰＵと接続し、前記サブＣＰＵの機能を補完するＩ／Ｏブリッジ部と、
前記Ｉ／Ｏブリッジ部に付属し動作クロックとしての第２クロックを発生する第２クロック発生部と、
前記待機時に少なくとも前記サブＣＰＵと前記Ｉ／Ｏブリッジ部とに電力を供給するサブ電源部と、を備え、
前記サブＣＰＵは、前記操作部からの前記操作信号により起動入力を受け付けると、前記第２クロック発生部に、前記第２クロックの発生を許可させるイネーブル信号を出力することを特徴とする電子機器の制御装置。
【請求項２】
前記第２クロックの発生が許可され、前記第２クロックが前記Ｉ／Ｏブリッジ部に供給されると、Ｉ／Ｏブリッジ部は、前記第２クロックから前記第１クロックより速い第３クロックを生成して前記サブＣＰＵに供給し、前記サブＣＰＵは、前記第３クロックが供給されると、動作クロックを前記第１クロックから前記第３クロックに切り換えることを特徴とする請求項１記載の電子機器の制御装置。
【請求項３】
前記Ｉ／Ｏブリッジ部と接続して設けられ、起動後の動作時には少なくとも前記サブＣＰＵおよび前記Ｉ／Ｏブリッジ部の動作を制御するメインＣＰＵと、
前記メインＣＰＵに電力を供給するメイン電源部と、をさらに備え、
前記サブＣＰＵは、前記第３クロックによる動作を開始すると、前記メイン電源部を起動し、続いて前記メインＣＰＵを起動させることを特徴とする請求項２に記載の電子機器の制御装置。
【請求項４】
請求項１〜３のいずれか一項に記載の電子機器の制御装置を備えることを特徴とする電子機器。
【請求項５】
請求項４記載の電子機器は、光を供給する光源部からの光を映像信号に応じて変調し、スクリーンに投写映像を写し出すプロジェクタであることを特徴とする。
【請求項６】
ＡＣ電源から供給される電力により動作し、前記電力が供給された待機時に起動入力操作に応じて操作信号を出力する操作部と、前記操作部からの操作信号により起動入力を受け付けるサブＣＰＵと、前記サブＣＰＵと接続し前記サブＣＰＵの機能を補完するＩ／Ｏブリッジ部と、前記待機時に少なくとも前記サブＣＰＵと前記Ｉ／Ｏブリッジ部とに電力を供給するサブ電源部を備えた電子機器の制御方法であって、
前記待機時に前記サブＣＰＵへ動作クロックとしての第１クロックを供給する第１クロック供給工程と、
前記操作部からの前記操作信号により起動入力を受け付ける入力受付工程と、
前記入力受付工程にて、起動入力を受け付けると、前記Ｉ／Ｏブリッジ部に付属し動作クロックとしての第２クロックを発生する第２クロック発生部に、前記第２クロックの発生を許可するイネーブル信号を送る第２クロック発生工程とを備えることを特徴とする電子機器の制御方法。
【発明の詳細な説明】
【技術分野】
【０００１】
本発明は、ＡＣ電源から供給される電力により動作する電子機器の制御装置および制御方法、電子機器、プロジェクタに関する。
【背景技術】
【０００２】
ＡＣ電源から供給される電力により動作する電子機器において、ＡＣ電源から電力が供給され、操作部への起動入力操作待ちの状態、いわゆる待機時では、できるだけ消費電力を抑えるような工夫が成されている。これは、地球温暖化防止などを背景とした省エネルギーを推進するために、電子機器が待機状態であるときには、理想的には消費電力はゼロであるのが望ましいなどの理由によるものである。このような、待機時の消費電力を抑えた電子機器として、例えば、待機時に消費電力の大きい部位を停止することにより、待機時の消費電力を抑える携帯型通信装置が以下に示す特許文献１に開示されている。特許文献１の携帯型通信装置は、通信の受信待ち待機時において、消費電力の大きいＰＨＳ回路の電源は落としておき、消費電力の小さなページャ回路にて受信待ち受けを行うことにより、待機時の消費電力を抑えている。
【０００３】
また、同様に待機時の消費電力を抑えることができる電子機器として、図５で示すプロジェクタ１５０（公知文献なし）が知られている。プロジェクタ１５０は、制御装置１３０を備えている。制御装置１３０は、操作部としてのリモコン１やＳＷ部１０、リモコン１からの赤外線信号を受け付ける受光部１１、操作部などからの起動入力操作を受け付けるサブＣＰＵ２と、動作状態を表示する動作状態表示部１４などの付属部位と、前記各部に必要最低限の電力を供給するサブ電源部３とから構成され、待機時に動作している。また、サブＣＰＵ２は消費電力の少ない低速な動作クロック（第１クロックＣＬＫ１）で動作している。
【０００４】
さらに、待機時において、消費電力の大きいメインＣＰＵ５および、ランプ１３を駆動するランプ駆動部６や、サブＣＰＵ２およびメインＣＰＵ５と周辺部位とのインターフェイスなどを行うＩ／Ｏブリッジ部８などは停止しており、また、これらの部位に電力を供給するメイン電源部４も停止する構成となっている。プロジェクタ１５０は、これらの構成により待機時の消費電力を抑えている。
【０００５】
【特許文献１】特開平９−１３０４９６号公報
【発明の開示】
【発明が解決しようとする課題】
【０００６】
しかしながら、特許文献１では、ページャ回路で受信信号を受けてから、ＰＨＳ回路を起動させることになるので、電源部を含めたＰＨＳ回路の初期化などの起動処理に時間が掛かり、起動時間が長くなってしまう。
【０００７】
また、前述のプロジェクタ１５０を待機時から動作状態にするためには、まず動作クロックを速くして高周波数とすることにより処理スピードを上げる必要がある。高速の動作クロックを発生する第２クロック部７は、メイン電源部４から電力供給を受けるＩ／Ｏブリッジ部８に付属している。なお、図５において、メイン電源部４から電力供給を受ける部位は、メイン電源部４から発している太線にて示されている。よって、高速の第２クロックＣＬＫ２を得るためには、まず、メイン電源部４を立ち上げることが必要となる。メイン電源部４の立ち上げには、電力容量を担保するメイン電源部４内の大容量のコンデンサ（図示せず）に充電するなど一定の時間が必要である。よって、プロジェクタ１５０の起動時間は、メイン電源部４の立ち上げ時間の分長くなってしまう。このように、待機時の消費電力を抑えるために、消費電力の大きな部位の電力供給を全て落としてしまうと、起動時間が長くなってしまうとういう問題点を有していた。
【０００８】
上記課題を解決するために、本発明では、待機時の消費電力を抑えるとともに、待機時からの起動時間を短縮することができる電子機器の制御装置および制御方法、電子機器、プロジェクタを提供することを目的とする。
【課題を解決するための手段】
【０００９】
前記目的を達成するために、本発明によれば、ＡＣ電源から供給される電力により動作する電子機器の制御装置であって、電力が供給された待機時に起動入力操作に応じて操作信号を出力する操作部と、操作部からの操作信号により起動入力を受け付けるサブＣＰＵと、待機時にサブＣＰＵへ動作クロックとしての第１クロックを供給する第１クロック発生部と、サブＣＰＵと接続し、サブＣＰＵの機能を補完するＩ／Ｏブリッジ部と、Ｉ／Ｏブリッジ部に付属し動作クロックとしての第２クロックを発生する第２クロック発生部と、前記待機時に少なくともサブＣＰＵとＩ／Ｏブリッジ部とに電力を供給するサブ電源部と、を備え、サブＣＰＵは、操作部からの操作信号により起動入力操作を受け付けると、第２クロック発生部に、第２クロックの発生を許可させるイネーブル信号を出力することを特徴とする。
【００１０】
この構成によれば、待機時におけるＩ／Ｏブリッジ部は、サブ電源部から電力供給を受けていることから、動作クロックが入力されれば、直に動作できる状態になっている。また、待機時のＩ／Ｏブリッジ部の電力消費量は、動作クロックが入力されて動作している場合と比べて大幅に少なくなっている。よって、動作クロックとしての第２クロックがＩ／Ｏブリッジ部に供給されると、Ｉ／Ｏブロック部は、起動入力受け付け直後に起動することができる。よって、従来の制御装置のように、Ｉ／Ｏブロック部を起動させるために、一定の立ち上げ時間が必要なメイン電源の起動から始めなくても良い。これにより、待機時の消費電力を抑えるとともに、待機時からの起動時間を短縮することができる電子機器の制御装置を提供することができる。
【００１１】
上記した本発明に係る電子機器の制御装置は、第２クロックの発生が許可され、第２クロックがＩ／Ｏブリッジ部に供給されると、Ｉ／Ｏブリッジ部は、第２クロックから第１クロックより速い第３クロックを生成してサブＣＰＵに供給し、サブＣＰＵは、第３クロックが供給されると、動作クロックを第１クロックから前記第３クロックに切り換えることが好ましい。
【００１２】
この構成によれば、サブＣＰＵは、第３クロックが供給されると、動作クロックを第１クロックから第３クロックに切り換えることから、サブＣＰＵは、高速な第３クロックにより起動動作を処理することができる。動作クロックの速さと処理能力の高さは比例関係にある。よって、高速な第３クロックによりサブＣＰＵの処理能力が上がり、起動動作を速く処理することができる。従って、待機時からの起動時間を短縮することができる電子機器の制御装置を提供することができる。
【００１３】
上記した本発明に係る電子機器の制御装置は、Ｉ／Ｏブリッジ部と接続して設けられ、少なくともサブＣＰＵおよびＩ／Ｏブリッジ部の動作を制御するメインＣＰＵと、メインＣＰＵに電力を供給するメイン電源部と、をさらに備え、サブＣＰＵは、第３クロックによる動作を開始すると、メイン電源部を起動し、続いてメインＣＰＵを起動させることが好ましい。
【００１４】
この構成によれば、Ｉ／Ｏブリッジ部およびサブＣＰＵは、メイン電源部を起動する前段階で、既に第２クロックあるいは第３クロックを動作クロックとして高速に動作していることから、従来の電子機器の制御装置のように、メイン電源を起動してからでないと、高速の動作クロックを得られない構成とは異なり、起動動作を速く処理することができる。従って、待機時からの起動時間を短縮することができる電子機器の制御装置を提供することができる。
【００１５】
上記した本発明に係る電子機器は、前記電子機器の制御装置を備えることが好ましい。
【００１６】
この構成によれば、電子機器は、待機時の消費電力を抑えるとともに、待機時からの起動時間を短縮することができる電子機器の制御装置を備えている。従って、待機時の消費電力を抑えるとともに、待機時からの起動時間を短縮することができる電子機器を提供することができる。
【００１７】
上記した本発明に係る電子機器は、光を供給する光源部からの光を映像信号に応じて変調し、スクリーンに投写映像を写し出すプロジェクタであることが好ましい。
【００１８】
この構成によれば、電子機器は、待機時の消費電力を抑えるとともに、待機時からの起動時間を短縮することができるプロジェクタである。従って、待機時の消費電力を抑えるとともに、待機時からの起動時間を短縮することができるプロジェクタを提供することができる。
【００１９】
上記した本発明に係る電子機器の制御装置の制御方法によれば、ＡＣ電源から供給される電力により動作し、電力が供給された待機時に起動入力操作に応じて操作信号を出力する操作部と、操作部からの操作信号により起動入力を受け付けるサブＣＰＵと、サブＣＰＵと接続し、サブＣＰＵの機能を補完するＩ／Ｏブリッジ部と、サブＣＰＵとＩ／Ｏブリッジ部とに電力を供給するサブ電源部を備えた電子機器の制御方法であって、待機時にサブＣＰＵへ動作クロックとしての第１クロックを供給する第１クロック供給工程と、操作部からの操作信号により起動入力を受け付ける入力受付工程と、入力受付工程にて、起動入力を受け付けると、Ｉ／Ｏブリッジ部に付属し動作クロックとしての第２クロックを発生する第２クロック発生部に、第２クロックの発生を許可するイネーブル信号を送る第２クロック発生工程とを備えることが好ましい。
【００２０】
この制御方法によれば、Ｉ／Ｏブリッジ部は、待機時にサブ電源部から電力供給を受けていることから、動作クロックが入力されれば、直に動作できる状態になっている。また、待機時のＩ／Ｏブリッジ部の電力消費量は、動作クロックが入力されて動作している場合と比べて大幅に少なくなっている。よって、第２クロック発生工程にて、動作クロックとしての第２クロックがＩ／Ｏブリッジ部に供給されると、Ｉ／Ｏブロック部は、起動入力受け付けの直後に起動することができる。従って、待機時の消費電力を抑えるとともに、待機時からの起動時間を短縮することができる電子機器の制御装置の制御方法を提供することができる。
【発明を実施するための最良の形態】
【００２１】
以下、添付図面に基づいて、本発明の実施形態を詳細に説明する。なお、この実施形態により本発明が限定されるものではない。
（実施形態）
【００２２】
図１は、本発明の実施形態における電子機器としてのプロジェクタの使用状態の概要図である。図２は、プロジェクタ１００の概略構成図である。なお、図５で示す従来のプロジェクタ１５０との対比のため、同一の部分には同一の符号を付して説明する。ここでは、まず、プロジェクタ１００の使用状態の概要および概略構成について図１と図２を用いて説明し、続いて、プロジェクタ１００の待機状態への処理の流れ、および起動ルーチンについて説明する。
【００２３】
プロジェクタ１００は、光源部としてのランプ１３が放射した光を、赤色光、青色光、緑色光の光の３原色成分に分離し、各色光毎に光変調素子としての各色光用液晶ライトバルブ２１にて映像信号に応じて変調し、再度合成してスクリーンＳＣに投写するいわゆる液晶３板式のプロジェクタである。プロジェクタ１００のような投写型で大画面が得られるプロジェクタは、例えば、会議における多人数へのプレゼンテーションや、家庭における大画面によるホームシアターに用いられることが多い。プロジェクタ１００には、外部から映像信号を供給する映像信号供給装置５０としてのパーソナルコンピュータから画面の映像を表す映像信号としてアナログＲＧＢ信号が供給されている。プロジェクタ１００には、ＡＣ電源９からプラグ（図示せず）を経由して交流電力が供給されている。これにより、プロジェクタ１００は、操作部への入力操作待ちの待機状態（以降、待機時という）となる。待機時における消費電力量は、省エネルギーの観点からゼロに近いことが望まれている。
【００２４】
プロジェクタ１００は、操作部としてのリモコン１または、プロジェクタ１００の本体に設けられているＳＷ部１０への入力操作により動作する。例えば、リモコン１を操作してプロジェクタ１００を起動させる場合は、リモコン１の起動ＳＷ（図示せず）を操作すると、リモコン１から赤外線信号が放射され、プロジェクタ１００の受光部１１へ入射する。受光部１１は、入射した赤外線信号に応じた操作信号を後述するサブＣＰＵ２に送る。サブＣＰＵ２は、受光部１１からの操作信号によりプロジェクタ１００を起動する。
【００２５】
プロジェクタ１００に用いられる高圧水銀ランプ等の放電式のランプ１３は、ランプ１３内に封入された水銀などの発光媒体を蒸発させて発光するため、点灯の際には発光媒体が温まって完全に蒸発するまでに一定の時間が必要である。このため、待機時から起動入力操作を行ったときに、映像を投写できる状態になるまでにはランプ１３の点灯時間と、関係各部の初期化などにより一定の起動時間が必要となる。ちなみに、従来のプロジェクタ１５０では、待機時からの起動時間は１０秒以上必要であった。人間の感覚として、１０秒の待ち時間は長く感じられる。例えば、プレゼンテーションにおいては、多人数の人たちが待ち受けている場合があるため、１秒でも速く起動させて投写映像を写したい。また、プレゼンテーションの場合に限らず、例えば、自宅のホームシアターでＤＶＤプレーヤを接続して映画を鑑賞する場合においても、起動操作入力をして直にでも投写画像を楽しみたい。このように、１秒でも速く起動することが求められている。
【００２６】
続いて、プロジェクタ１００の概略構成について図２を用いて説明する。プロジェクタ１００の電源部１２は、主に待機時において、後述する制御装置３０に電力を供給するサブ電源部３と、動作時に後述するメインＣＰＵ５やランプ１３を含む主要各部に電力を供給するメイン電源部４とから構成されている。なお、動作時とは、プロジェクタ１００が起動し、ランプ１３が点灯して何らかの映像を投写している状態をいう。電源部１２には、ＡＣ電源９からプラグ（図示せず）を経由して交流電力が供給されている。サブ電源部３およびメイン電源部４は、スイッチング電源である。スイッチング電源は、ＡＣ電源９からの交流電圧をプラグから導き、内蔵するＡＣ／ＤＣ変換部（図示せず）にて変圧、整流および平滑処理して直流電圧を生成し、さらに、リップルを含んでいる前記直流電圧に高周波ひずみを排除するためのＰＦＣ（Power Factor Correction）処理を含むＰＷＭ制御（Pulse Width Modulation Control）を施すことにより安定化した基本直流電圧を生成する。
【００２７】
サブ電源部３は、主に待機時における電力の供給を行うため、小容量であり後述する制御装置３０が必要とする最低限の電力を生成する。サブ電源部３は、小容量であることから、内部のスイッチング電源に含まれている電力容量を担保するコンデンサも小容量であり、充電に要する時間が短い。ちなみに、サブ電源部３のＡＣ電源９投入からの起動に要する時間は、０．５秒未満であり、起動時間が短い。メイン電源部４は、動作時におけるランプ１３を含む主要各部に電力の供給を行うため大容量である。メイン電源部４は、大容量であることから、内部のスイッチング電源に含まれているコンデンサも大容量となり、コンデンサに充電するのに一定の時間が必要となる。ちなみに、メイン電源部４が起動に要する時間は２秒程度であり、起動時間が長い。
【００２８】
図２において、サブ電源部３から電力供給を受ける部位は、サブ電源部３から発する内側が斜線となっている太線にて示されている。また、メイン電源部４から電力供給を受ける部位は、メイン電源部４から発する太線にて示されている。なお、この図示の方法は、図５においても同様である。待機時に、サブ電源部３から電力供給を受けている部位が、電子機器としてのプロジェクタ１００の制御装置３０である。制御装置３０は、サブ電源部３を含み、サブＣＰＵ２、Ｉ／Ｏブリッジ部８、ＳＷ部１０、受光部１１、動作状態表示部１４などから構成されている。サブＣＰＵ２は、待機時において、操作部としてのＳＷ部１０または、リモコン１操作による受光部１１からの操作信号を受け付け、プロジェクタ１００の起動を行う。また、サブＣＰＵ２には、水晶振動子などから構成された第１クロック発生部１５が付属している。
【００２９】
動作状態表示部１４は、プロジェクタ１００の動作状態を、付属する複数のＬＥＤの点灯および点滅により表す。Ｉ／Ｏブリッジ部８は、プロジェクタ１００の動作時に、ＵＳＢ（Universal Serial Bus）コントローラや、ランプ１３の点灯および消灯を行うランプ駆動部６、ランプ１３を空冷するためのファン１７を駆動するファン駆動部１８などの各部位と、サブＣＰＵ２および後述するメインＣＰＵ５とのインターフェイスなどを行い、サブＣＰＵ２および後述するメインＣＰＵ５の機能を補完している。Ｉ／Ｏブリッジ部８には、高速の動作クロックを生成する水晶発振子を含んだオーバートーン発振回路（図示せず）などから構成された第２クロック発生部７が付属している。
【００３０】
メインＣＰＵ５は、動作時において各部の動作の制御を司るとともに、スケーリングなどの映像信号処理も行う。映像信号供給装置５０としてのパーソナルコンピュータからの映像信号ＶinはアナログＲＧＢ信号であり、Ａ／Ｄコンバータ１９に入力する。Ａ／Ｄコンバータ１９は、メインＣＰＵ５にて映像信号処理を施すことができるように、入力したアナログＲＧＢ信号をＡ／Ｄ変換し、デジタル映像信号ＤinとしてメインＣＰＵ５に送る。メインＣＰＵ５は、デジタル映像信号Ｄinを表示部としての液晶ライトバルブ２で表示するのに適した映像信号とするために、デジタル映像信号Ｄinに解像度を合致させるためのスケーリングや、表示階調をリニアにするためのγ補正などの映像信号処理を施し、映像信号Ｄoutとして液晶パネル駆動部２０へ送る。なお、上記の映像信号処理はメインＣＰＵとは別の専用の映像信号処理回路で行うようにしても良い。液晶パネル駆動部２０は、映像信号Ｄoutと駆動電圧などを液晶ライトバルブ２１へ供給する。なお、図２において、双方向の矢印を備えた白抜きの太線は、サブＣＰＵ２およびメインＣＰＵ５と、各部位とのバスラインを示している。なお、この図示の方法は、図５においても同様である。
【００３１】
動作時に機能するランプ１３、ランプ駆動部６、ファン１７、ファン駆動部１８、およびメインＣＰＵ５、Ａ／Ｄコンバータ１９、液晶パネル駆動部２０、液晶ライトバルブ２１などの消費電力の大きい部位に供給される電力は、大容量のメイン電源部４から供給されている。よって、これらの消費電力の大きな部位は、メイン電源部４が立ち上がってからでないと動作することはできない。
【００３２】
続いて、プロジェクタ１００の待機時への処理の流れについて図２と図３を用いて説明する。図３は、プロジェクタ１００の待機時フローチャートである。なお、ここで説明する待機時フローチャートおよび後述する起動フローチャートで表される動作フロープログラムについては、サブＣＰＵ２内部または、バスラインを経由して設けられたＲＯＭまたはフラッシュメモリからなる記憶部（図示せず）に格納されている。サブＣＰＵ２は、記憶部に格納された動作フロープログラムに沿って各種処理を行う。
【００３３】
ステップＳ１では、プロジェクタ１００のプラグをＡＣ電源部９のコンセント（いずれも図示せず）へ差し込み、プロジェクタ１００に交流電力を供給する。また、例えば、プロジェクタ１００が会議室の天井などに備え付けられており、プラグは常時備え付けのテーブルタップ（図示せず）に差し込んである場合などは、テーブルタップへの電力供給を開閉するスイッチ（図示せず）などを入れる。ステップＳ２では、交流電源が供給されたことにより、電源部１２のサブ電源部３が起動する。ステップＳ３では、サブ電源部３が立ち上がったことにより、サブ電源部３から電力供給を受ける制御装置３０の各部および各回路の初期化処理が始まる。
【００３４】
初期化動作において、まず、初期化処理を行うための動作クロックが生成される。Ｉ／Ｏブリッジ部８には、第２クロック発生部７の水晶発振子を含んだオーバートーン発振回路（図示せず）から第２クロックＣＬＫ２の９６ＭHzが供給される。ここで、Ｉ／Ｏブリッジ部８は、内蔵する分周器を含むＰＬＬ（Phase Locked Loop）回路２２にて、第２クロックＣＬＫ２の９６ＭHzから第３クロックＣＬＫ３の２４ＭHzを生成し、サブＣＰＵ２に供給する。また、サブＣＰＵ２には、第１クロック発生部１５の水晶発振回路から第１クロックＣＬＫ１の３２ｋHzも供給される。サブＣＰＵ２は、サブＣＰＵ２自体の機能を検査するセルフチェックなどを含む初期化処理を速く行うために、サブＣＰＵ２およびＩ／Ｏブリッジ部８の動作クロックを、第３クロックＣＬＫ３の２４ＭHzとして初期化処理を行う。
【００３５】
ステップＳ４では、初期化処理が終り待機時の省電力モードに入るための処理が行われる。サブＣＰＵ２は、動作クロックを第３クロックＣＬＫ３の２４ＭHzから、低速な第１クロックＣＬＫ１の３２ｋHzに切り換える。ステップＳ５では、サブＣＰＵ２は、Ｉ／Ｏブリッジ部８にリセット信号を送り動作を停止させる。ステップＳ６では、サブＣＰＵ２は、第２クロック発生部７に発振停止信号を送り、第２クロックＣＬＫ２の９６ＭHzの発振を停止する。これにより、初期化処理は終了し、プロジェクタ１００は待機状態となる。このとき、Ｉ／Ｏブリッジ部８は、サブ電源部３から電力は供給されているが、動作クロックが無いため動作しておらず、消費電力が抑えられた状態となっている。また、表示部１４は、サブＣＰＵ２からの表示信号により、操作入力待ちの待機状態であることを橙色のＬＥＤ（Ｏ）を点灯させることにより表示する。ちなみに、ステップＳ１からステップＳ６までの待機時フローチャートに要する時間は、１秒程度である。
【００３６】
続いて、プロジェクタ１００の待機時から動作時への起動処理の流れについて図２と図４を用いて説明する。図４は、プロジェクタ１００の起動フローチャートである。ステップＳ１０では、サブＣＰＵ２は、リモコン１への操作の有無について受光部１１からの操作信号により確認する。受光部１１から操作信号が送信されて来た場合には、ステップＳ１１へ進む。操作信号が所定の時間送信されて来ない場合には、ステップＳ１２へ進む。ステップＳ１１では、サブＣＰＵ２は、受光部１１からの操作信号が起動入力であるか否かを判断する。受光部１１からの操作信号が起動入力のときにはステップＳ１４へ進み起動動作に入る。操作信号が起動入力ではない場合には、ステップＳ１２へ進む。
【００３７】
ステップＳ１２では、サブＣＰＵ２は、ＳＷ部１０への操作の有無についてＳＷ部１０からの操作信号により確認する。ＳＷ部１０から操作信号が送信されて来た場合には、ステップＳ１３へ進む。操作信号が所定の時間送信されて来ない場合には、ステップＳ１０へ戻り、再度、起動操作の確認を行う。ステップＳ１３では、サブＣＰＵ２は、ＳＷ部１０からの操作信号が起動入力であるか否かを判断する。ＳＷ部１０からの操作信号が起動入力のときにはステップＳ１４へ進む。操作信号が起動入力ではない場合には、ステップＳ１０へ戻り、再度、起動操作の確認を行う。
【００３８】
ステップＳ１４では、サブＣＰＵ２は、起動入力を受け付けたことから、第２クロック発生部７に第２クロックＣＬＫ２の発生を許可するイネーブル信号ＯＥを送る。これにより、Ｉ／Ｏブリッジ部８に、第２クロックＣＬＫ２の９６ＭHzが供給される。さらにサブＣＰＵ２は、動作状態表示部１４に表示信号を送り、起動処理中を表す緑色のＬＥＤ（Ｇ）を点滅させる。ステップＳ１５では、前述の図３における待機時フローチャートのステップＳ５で動作を停止させたＩ／Ｏブリッジ部８へのリセット信号を解除して起動させる。ステップＳ１６では、Ｉ／Ｏブリッジ部８は初期化処理を行う。まず、Ｉ／Ｏブリッジ部８内部のＰＬＬ回路２２により第２クロックＣＬＫ２の９６ＭHzから、第３クロックＣＬＫ３の２４ＭHzが生成される。生成された第３クロックＣＬＫ３の２４ＭHzは、サブＣＰＵ２に供給されるとともに、Ｉ／Ｏブリッジ部８の動作クロックとなる。また、サブＣＰＵ２は、自らの動作クロックを、第１クロックＣＬＫ１の３２ｋHzから、第３クロックＣＬＫ３の２４ＭHzに切り換える。
【００３９】
ステップＳ１７では、サブＣＰＵ２は、メイン電源部４を起動する。ステップＳ１８では、メイン電源部４が起動すると、メイン電源部４から電力供給を受ける、ランプ１３、ランプ駆動部６、ファン１７、ファン駆動部１８および、メインＣＰＵ５、Ａ／Ｄコンバータ１９、液晶パネル駆動部２０、液晶ライトバルブ２１などの初期化処理が行われ、プロジェクタ１００が起動する。このときの、メインＣＰＵ５などの動作クロックとしては、Ｉ／Ｏブリッジ部８から、第３クロックＣＬＫ３の２４ＭHzが供給される。なお、サブＣＰＵ２は、プロジェクタ１００が動作状態になったことを示すために、動作状態表示部１４に表示信号を送り、緑色のＬＥＤ（Ｇ）を点滅から点灯に切り換える。ちなみに、ステップＳ１０からステップＳ１８までの待機時から動作状態への起動時間は、８秒程度である。
【００４０】
上述した通り、本実施形態によれば以下の効果が得られる。
（１）Ｉ／Ｏブリッジ部８は、待機時にサブ電源部３から電力供給を受けていることから、動作クロックが入力されれば直に動作できる状態になっている。また、待機時のＩ／Ｏブリッジ部８の電力消費量は、動作クロックが入力されて動作している場合と比べて大幅に少なくなっている。サブＣＰＵ２は、ＳＷ部１０などの操作部からの操作信号により起動入力操作を検出すると、第２クロック発生部７に、第２クロックＣＬＫ２の発生を許可させるイネーブル信号ＯＥを出力する。これにより、動作クロックとしての第２クロックＣＬＫ２の９６ＭHzがＩ／Ｏブリッジ部８に供給されることから、Ｉ／Ｏブロック部８は、第１クロックＣＬＫ１の３２ｋHzより速い動作クロックにて、起動入力受け付け直後に起動することができる。よって、従来の制御装置１３０のように、Ｉ／Ｏブロック部８を起動させるために、一定の立ち上げ時間が必要なメイン電源４の起動から始めなくても良い。従って、待機時の消費電力を抑えるとともに、待機時からの起動時間を短縮することができる電子機器としてのプロジェクタ１００の制御装置３０を提供することができる。
【００４１】
（２）サブＣＰＵ２の待機時に動作クロックとして供給される第１クロックＣＬＫ１は、消費電力を抑えるために３２ｋHzと低速となっている。Ｉ／Ｏブリッジ部８は、第２クロックＣＬＫ２の９６ＭHzから第３クロックＣＬＫ３の２４ＭHzを生成し、サブＣＰＵ２に供給する。サブＣＰＵ２は、第３クロックＣＬＫ３が入力されると、動作クロックを第１クロックＣＬＫ１から第３クロックＣＬＫ３の２４ＭHzに切り換える。これにより、サブＣＰＵ２は、高速で処理能力の高い第３クロックＣＬＫ３により起動動作を速く処理することができる。従って、待機時の消費電力を抑えるとともに、待機時からの起動時間を短縮することができる電子機器としてのプロジェクタ１００の制御装置３０を提供することができる。
【００４２】
（３）サブＣＰＵ２は、第３クロックＣＬＫ３の２４ＭHzによる動作を開始すると、メイン電源部４を起動し、続いてメインＣＰＵ５を起動させる。よって、メイン電源部４が立ち上がる前段階では、低速の第１クロックＣＬＫ１で動作している従来の制御装置１３０とは異なり、Ｉ／Ｏブリッジ部８およびサブＣＰＵ２は、メイン電源部４が立ち上がる前段階で、第３クロックＣＬＫ３の２４ＭHzを動作クロックとして高速に動作している。従って、従来の制御装置１３０における、メイン電源部４の起動に必要な一定の時間の分、起動時間を短くすることができる。従って、待機時からの起動時間を短縮することができる電子機器としてのプロジェクタ１００の制御装置３０を提供することができる。
【００４３】
（４）プロジェクタ１００は、待機時の消費電力を抑えるとともに、待機時からの起動時間を短縮することができる制御装置３０を備えている。従って、待機時の消費電力を抑えるとともに、待機時からの起動時間を短縮することができる電子機器としてのプロジェクタ１００を提供することができる。また、従来のプロジェクタ１５０の待機時からの起動時間は概ね１０秒程度であったが、本発明のプロジェクタ１００では、概ね８秒で起動することができる。この２秒は、前述した起動時間を１秒でも早くしたいという使用者の強い要望に応える大きな効果である。
【００４４】
なお、本発明は上述した実施形態に限定されず、上述した実施形態に種々の変更や改良などを加えることが可能である。変形例を以下に述べる。
【００４５】
（変形例１）
図２を用いて説明する。前記実施形態では第２クロック発生部７をＩ／Ｏブロック部８に付属する構成としているが、これに限定するものではない。例えば、サブＣＰＵ２に、第１クロック発生部１５に加えて、第２クロック発生部７を付属させて、さらにサブＣＰＵ２内にＰＬＬ回路２２を設ける構成としても良い。この構成によれば、サブＣＰＵ２により、所望の動作クロックを得ることができる。従って、動作処理の負荷状況によって、最適な動作クロックを選択することができる。これにより、待機時からの起動時間を短縮することができる電子機器の制御装置を提供することができる。
【００４６】
（変形例２）
図２を用いて説明する。前記実施形態では第２クロックＣＬＫ２を９６ＭHz、第３クロックＣＬＫ２を２４ＭHzとして説明したが、これに限定するものではない。例えば、第３クロックＣＬＫ２を４８ＭHz、または９６ＭHzとしても良いし、源振の第２クロックＣＬＫ２を１２０ＭHzとして構成することもできる。この場合、動作クロックの速さが異なるだけなので、作用効果は同様に得ることができる。従って、待機時の消費電力を抑えるとともに、待機時からの起動時間を短縮することができる電子機器の制御装置を提供することができる。
【００４７】
（変形例３）
前記実施形態において、待機時の消費電力を抑えるとともに、待機時からの起動時間を短縮することができる電子機器は、外部に設けられたスクリーンに映像を投写する投写型のプロジェクタに限定されるものではない。ＡＣ電源から供給される電力により動作し、待機時の消費電力を抑えながらも、待機時からの起動時間を早くする必要性がある電子機器であれば適応できる。例えば、投写型のプロジェクタとほぼ同様な光学系を備え、同一個体内に設けられた透過型スクリーンに背面から投写画像を投写するリアプロジェクタに適用することもできる。また、パーソナルコンピュータや、液晶テレビ、プラズマテレビなどにも適応することができる。また、前記実施形態のプロジェクタ１００の光変調部は、透過型の液晶ライトバルブを用いる構成としたが、これに限定するものではない。例えば、反射型液晶表示装置や、ティルトミラーデバイスを用いる構成としても良い。
【００４８】
前記実施形態および各変形例から把握できる請求項に記載されている内容以外の技術的思想について、以下にその効果とともに記載する。
【００４９】
ＡＣ電源から供給される電力により動作する電子機器の制御装置であって、前記電力が供給された待機時に起動入力操作に応じて操作信号を出力する操作部と、前記操作部からの操作信号により起動入力を受け付けるサブＣＰＵと、前記待機時に前記サブＣＰＵへ動作クロックとしての第１クロックを供給する第１クロック発生部と、前記サブＣＰＵに接続し前記第１クロックより速い第２クロックを発生する第２クロック発生部と、前記サブＣＰＵと接続し前記サブＣＰＵの機能を補完するＩ／Ｏブリッジ部と、前記サブＣＰＵと前記Ｉ／Ｏブリッジ部とに電力を供給するサブ電源部と、を備え、前記サブＣＰＵは、前記操作部からの前記操作信号により起動入力を受け付けると、前記第２クロック発生部から前記第２クロックを発生させ、さらに前記第２クロックから前記第１クロックより速い第３クロックを生成し自らの動作クロックとすると共に、前記Ｉ／Ｏブリッジ部に供給することをを特徴とする電子機器の制御装置。
【００５０】
この構成によれば、Ｉ／Ｏブリッジ部は、待機時にサブ電源部から電力供給を受けていることから、動作クロックが入力されれば、直に動作できる状態になっている。また、このときのＩ／Ｏブリッジ部の電力消費量は、動作クロックが入力されて動作している場合と比べて大幅に少なくなっている。サブＣＰＵは、起動入力を受け付けると、第２クロックを発生させ、さらに第３クロックを生成し自らの動作クロックとすると共に、前記Ｉ／Ｏブリッジ部に供給する。よって、動作クロックとしての第３クロックがＩ／Ｏブリッジ部に供給されるので、Ｉ／Ｏブロック部は、第１クロックより速い動作クロックにて、起動入力受け付け直後に起動することができる。これにより、待機時の消費電力を抑えるとともに、待機時からの起動時間を短縮することができる電子機器の制御装置を提供することができる。
【図面の簡単な説明】
【００５１】
【図１】一実施形態のプロジェクタの使用状態の概要図。
【図２】プロジェクタの概略構成図。
【図３】待機時フローチャート。
【図４】起動フローチャート。
【図５】従来のプロジェクタの概略構成図。
【符号の説明】
【００５２】
１…操作部としてのリモコン、２…サブＣＰＵ、３…サブ電源部、４…メイン電源部、５…メインＣＰＵ、６…ランプ駆動部、７…第２クロック発生部、８…Ｉ／Ｏブリッジ部、９…ＡＣ電源、１０…操作部としてのＳＷ部、１１…受光部、１２…電源部、１３…光源部としてのランプ、１４…動作状態表示部、１５…第１クロック発生部、１９…Ａ／Ｄコンバータ、２０…液晶パネル駆動部、２１…液晶ライトバルブ、３０…制御装置、５０…映像信号供給装置、ＣＬＫ１…第１クロック、ＣＬＫ２…第２クロック、ＣＬＫ３…第３クロック、ＯＥ…イネーブル信号、ＳＣ…スクリーン、プロジェクタ…１００。
【図１】
2006067056.tif 000003
【図２】
2006067056.tif 000004
【図３】
2006067056.tif 000005
【図４】
2006067056.tif 000006
【図５】
2006067056.tif 000007